(57)【要約】【課題】  現在販売されている傘は、現状の物では、デザイン等が偏りすぎていて、乏しいが企業のロゴの入った傘を提供することによって、企業が広告を出すことができ、またＱＲコードを添付することによって、企業のさらなる宣伝効果も増し、その広告費で価格をさらに押さえられる。消費者にさらに安価で提供することが出来る上に、選択肢が増える。【解決手段】  傘地の表面や、骨組などに、オリジナルデザイン、ロゴ、エンブレム及び社名等と共に、ＱＲコードをプリント、もしくはデザインしたシール等を添付する。【選択図】  図１
0003126500.tif 000002
【実用新案登録請求の範囲】
【請求項１】
商品のオリジナルデザイン、ロゴ、エンブレム、及び、社名等を傘地にプリントし、そのロゴの中、または脇にＱＲコードを張り付ける他にも傘骨に、ロゴ等のシールを添付した傘の作成商品である。
【考案の詳細な説明】
【技術分野】
【０００１】  本考案は、企業のロゴ、エンブレム、オリジナルデザイン及び社名等が傘の傘地及び骨組などに、シール等で添付または、プリント、印刷が傘に施されたものであり、その脇、または、ロゴ等デザイン内にＱＲコードを印刷されたものである。
【背景技術】
【０００２】従来は、傘に企業のロゴ等がプリントされたものがなかった。また、最近では企業が広告媒体の一部としてＱＲコードを商品などに添付するようになったが、市販品においても、各メーカーが社名入りのロゴ等を入れた傘を発売していなく、一般的な絵柄の入ったデザインしかなかった上に、ＱＲコードも添付しているようなものはなかった。
【考案の開示】
【考案が解決しようとする課題】
【０００３】従来の傘は、透明なものか、または、スケルトンブルーなど、元のビニールに色を入れて、カラフルにした商品はあった。しかし、企業のロゴや宣伝が描かれていたり、したものはなく、選択肢が少ないという問題点があった。【０００４】本考案はこれらの問題を解決するべく、傘の表面に企業のロゴマークや、商品のパッケージングデザイン、エンブレム等をプリントし、そのデザイン内部または、その脇にＱＲコードをプリント、ないしは印刷されたものを張り付けることで広告媒体の一部となるとともに、メーカーから広告費を徴収するため、現在よりもコストを下げ、さらに安価で消費者に提供することができる上、企業の宣伝にもなる。
【課題を解決するための手段】
【０００４】上記の目標達成のために、市販の傘の所定の位置に、デザイン、ＱＲコードのプリントを施したり、シールを添付する。また、パッケージデザイン等は場合によっては、傘地の全面にプリントすることもあり、また、傘骨などに添付するシールも場合によっては、傘骨全体に及ぶこともある。
【考案の効果】
【０００５】本考案により、企業からの広告収入の為、傘がさらに安価で購入できるようになり、また、デザインなどの選択肢も増えることにより、消費者がさらに求めやすくなるのと同時に、ＱＲコードによって、より企業の宣伝効果も増す。
【図面の簡単な説明】
【図１】傘を横から見た図面である。
【図２】傘を上から見た図面である。
【符号の説明】
１  傘本体
２  デザイン、ロゴ等
３  ＱＲコード
４  傘骨
【図１】
0003126500.tif 000003
【図２】
0003126500.tif 000004
【手続補正書】
【提出日】平成17年11月14日(2005.11.14)
【手続補正１】
【補正対象書類名】実用新案登録請求の範囲
【補正対象項目名】全文
【補正方法】変更
【補正の内容】
【実用新案登録請求の範囲】
【請求項１】
商品のオリジナルデザイン、ロゴ、エンブレム、社名等の広告を傘地に表示すると共に、その広告の中又はその脇にＱＲコードを表示したことを特徴とする傘。
【請求項２】
傘骨に、前記広告を表示したシールを添付したことを特徴とする請求項１記載の傘。
【手続補正２】
【補正対象書類名】明細書
【補正対象項目名】全文
【補正方法】変更
【補正の内容】
【考案の詳細な説明】
【技術分野】
【０００１】  本考案は、企業のロゴ、エンブレム、オリジナルデザイン及び社名等が傘の傘地及び骨組などにシール等で添付、又はプリントあるいは印刷により傘に施されたものであり、その脇又はロゴ等デザイン内にＱＲコードが表示されたものである。
【背景技術】
【０００２】  従来は、傘に企業のロゴ等がプリントされたものがなかった。又、最近では企業が広告媒体の一部としてＱＲコードを商品などに添付するようになったが、市販品においても、各メーカーが社名入りのロゴ等を入れた傘を発売してなく、一般的な絵柄の入ったデザインしかなかった上に、ＱＲコードも添付しているようなものはなかった。
【考案の開示】
【考案が解決しようとする課題】
【０００３】  従来の傘は、透明なものか、又は、スケルトンブルーなど、元のビニールに色を入れて、カラフルにした商品はあった。しかし、企業のロゴや宣伝が描かれていたものはなく、選択肢が少ないという問題点があった。【０００４】  本考案はこれらの問題点を解決するために考案したもので、その要旨とするところは、商品のオリジナルデザイン、ロゴ、エンブレム、社名等の広告を傘地に表示すると共に、この広告の中またはその脇にＱＲコードを表示したことにある。又、本考案では、前記傘の傘骨に、商品のオリジナルデザイン、ロゴ、エンブレム、社名等の広告を表示したシールを添付する構成も採用した。
本考案は、傘の表面に企業のロゴマークや商品のパッケージングデザイン、エンブレム等をプリントし、そのデザインの内部又はその脇にＱＲコードをプリントないしは印刷されたものを貼り付けることで広告媒体の一部となると共に、メーカーから広告費を徴収するため、現在よりもコストを下げ、安価に消費者に提供することができる上、企業の宣伝にもなる。
【課題を解決するための手段】
【０００５】  上記目標達成のために、市販の傘の所定の位置に、デザイン、ＱＲコードのプリントを施したり、シールを添付する。又、パッケージデザイン等は、場合によっては傘地の全面にプリントすることもあり、又、傘骨などに添付するシールも場合によっては、傘骨全体に及ぶこともある。
【考案の効果】
【０００６】  本考案では、企業からの広告収入のため、傘がさらに安価で購入できるようになり、又、デザインなどの選択肢も増えることにより、消費者がさらに求めやすくなるのと同時に、ＱＲコードによって、より企業の宣伝効果も増す。
【図面の簡単な説明】
【図１】傘を横から見た図面である。
【図２】傘を上から見た図面である。
【符号の説明】
１  傘本体
２  デザインやロゴ等の広告
３  ＱＲコード
４  傘骨
【手続補正書】
【提出日】平成18年3月31日(2006.3.31)
【手続補正１】
【補正対象書類名】実用新案登録請求の範囲
【補正対象項目名】全文
【補正方法】変更
【補正の内容】
【実用新案登録請求の範囲】
【請求項１】
軸柄と、前記軸柄の先端近傍に支持された複数の傘骨と、開状態の前記傘骨の間に張られる傘地とを備えた傘において、前記傘地に広告を表示すると共に、その広告の中又はその脇にＱＲコードを表示したことを特徴とする傘。
【請求項２】
軸柄に、広告を表示したシールを添付したことを特徴とする請求項１記載の傘。
【手続補正２】
【補正対象書類名】明細書
【補正対象項目名】全文
【補正方法】変更
【補正の内容】
【考案の詳細な説明】
【技術分野】
【０００１】  本考案は、企業のロゴ、エンブレム、オリジナルデザイン及び社名等が傘の傘地及び軸柄などにシール等で添付、又はプリントあるいは印刷により傘に施されたものであり、その脇又はロゴ等デザイン内にＱＲコードが表示されたものである。
【背景技術】
【０００２】  従来は、傘に企業のロゴ等がプリントされたものがなかった。又、最近では企業が広告媒体の一部としてＱＲコードを商品などに添付するようになったが、市販品においても、各メーカーが社名入りのロゴ等を入れた傘を発売してなく、一般的な絵柄の入ったデザインしかなかった上に、ＱＲコードも添付しているようなものはなかった。
【考案の開示】
【考案が解決しようとする課題】
【０００３】  従来の傘は、透明なものか、又は、スケルトンブルーなど、元のビニールに色を入れて、カラフルにした商品はあった。しかし、企業のロゴや宣伝が描かれていたものはなく、選択肢が少ないという問題点があった。【０００４】  本考案はこれらの問題点を解決するために考案したもので、その要旨とするところは、軸柄と、前記軸柄の先端近傍に支持された複数の傘骨と、開状態の前記傘骨の間に張られる傘地とを備えた傘において、前記傘地に商品のオリジナルデザイン、ロゴ、エンブレム、社名等の広告を表示すると共に、その広告の中又はその脇にＱＲコードを表示したことにある。又、本考案では、前記傘の軸柄に、商品のオリジナルデザイン、ロゴ、エンブレム、社名等の広告を表示したシールを添付する構成も採用した。
本考案は、傘の表面に企業のロゴマークや商品のパッケージングデザイン、エンブレム等をプリントし、そのデザインの内部又はその脇にＱＲコードをプリントないしは印刷されたものを貼り付けることで広告媒体の一部となると共に、メーカーから広告費を徴収するため、現在よりもコストを下げ、安価に消費者に提供することができる上、企業の宣伝にもなる。
【課題を解決するための手段】
【０００５】  上記目標達成のために、市販の傘の所定の位置に、デザイン、ＱＲコードのプリントを施したり、シールを添付する。又、パッケージデザイン等は、場合によっては傘地の全面にプリントすることもあり、又、傘骨などに添付するシールも場合によっては、傘骨全体に及ぶこともある。
【考案の効果】
【０００６】  本考案では、企業からの広告収入のため、傘がさらに安価で購入できるようになり、又、デザインなどの選択肢も増えることにより、消費者がさらに求めやすくなるのと同時に、ＱＲコードによって、より企業の宣伝効果も増す。
【図面の簡単な説明】
【図１】傘を横から見た図面である。
【図２】傘を上から見た図面である。
【符号の説明】
１  傘本体
２  デザインやロゴ等の広告
３  ＱＲコード
４  軸柄